(57)【要約】【課題】強度を確保しながらも組み付け性を向上し得るロッカー装置を提供する。【解決手段】ロッカー装置１は、一方側に開口した金属系材料から形成された箱本体１０と、該箱本体の開口と同方向に開口し、かつ該箱本体内に嵌め込まれるように収容された内箱体２０と、前記箱本体の開口に沿って開閉自在に設けられた扉１５，１６と、を備えており、前記内箱体は、複数の収容部２，３を形成するように区画され、かつ合成樹脂系材料から一体的に形成されている。【選択図】図１
2014094113.tif 000002
【特許請求の範囲】
【請求項１】
一方側に開口した金属系材料から形成された箱本体と、該箱本体の開口と同方向に開口し、かつ該箱本体内に嵌め込まれるように収容された内箱体と、前記箱本体の開口に沿って開閉自在に設けられた扉と、を備えており、
前記内箱体は、複数の収容部を形成するように区画され、かつ合成樹脂系材料から一体的に形成されていることを特徴とするロッカー装置。
【請求項２】
請求項１において、
前記内箱体の四周外壁の少なくとも一外壁とこの一外壁に対向する前記箱本体の一内壁との間に、機構部材を収容する収容空間を設けていることを特徴とするロッカー装置。
【請求項３】
請求項１または２において、
前記内箱体の四周外壁の少なくとも一外壁に、この一外壁に対向する前記箱本体の一内壁に弾性的に接触する弾性片部を設けていることを特徴とするロッカー装置。
【発明の詳細な説明】
【技術分野】
【０００１】
本発明は、複数の収容部を設けたロッカー装置に関する。
【背景技術】
【０００２】
従来より、種々の物品や郵便物、宅配物等を収容する複数の収容部を設けた貸ロッカー（貸保管庫）や、郵便受箱、荷受箱等の種々のロッカー装置が知られている（例えば、下記特許文献１及び下記特許文献２等参照）。
【先行技術文献】
【特許文献】
【０００３】
【特許文献１】特開２００９−１００８７４号公報
【特許文献２】特開２００９−１１４７８９号公報
【発明の概要】
【発明が解決しようとする課題】
【０００４】
ところで、このようなロッカー装置は、比較的に堅牢である必要がある。そのため、ボックス本体を鋼板等の金属系材料から形成し、適宜、補強加工を施し、このボックス本体内を複数に区画する横板（棚板）や縦板等の仕切板をボックス本体の内壁に溶接等によって組み付ける必要があり、更なる改善が望まれていた。
【０００５】
本発明は、上記実情に鑑みてなされたものであり、強度を確保しながらも組み付け性を向上し得るロッカー装置を提供することを目的としている。
【課題を解決するための手段】
【０００６】
上記目的を達成するために、本発明に係るロッカー装置は、一方側に開口した金属系材料から形成された箱本体と、該箱本体の開口と同方向に開口し、かつ該箱本体内に嵌め込まれるように収容された内箱体と、前記箱本体の開口に沿って開閉自在に設けられた扉と、を備えており、前記内箱体は、複数の収容部を形成するように区画され、かつ合成樹脂系材料から一体的に形成されていることを特徴とする。
【０００７】
本発明においては、前記内箱体の四周外壁の少なくとも一外壁とこの一外壁に対向する前記箱本体の一内壁との間に、機構部材を収容する収容空間を設けてもよい。
また、本発明においては、前記内箱体の四周外壁の少なくとも一外壁に、この一外壁に対向する前記箱本体の一内壁に弾性的に接触する弾性片部を設けてもよい。
【発明の効果】
【０００８】
本発明に係るロッカー装置は、上述のような構成としたことで、強度を確保しながらも組み付け性を向上させることができる。
【図面の簡単な説明】
【０００９】
【図１】（ａ）、（ｂ）は、いずれも本発明の一実施形態に係るロッカー装置の一例を模式的に示し、（ａ）は、図２（ｂ）におけるＸ−Ｘ線矢視に対応させた概略縦断面図、（ｂ）は、図２（ｂ）におけるＹ−Ｙ線矢視に対応させた概略横断面図である。
【図２】（ａ）は、同ロッカー装置を模式的に示す概略斜視図、（ｂ）は、同ロッカー装置を模式的に示す一部省略概略正面図である。
【発明を実施するための形態】
【００１０】
以下に本発明の実施の形態について、図面に基づいて説明する。
図１及び図２は、本実施形態に係るロッカー装置の一例を模式的に示す図である。
なお、図２（ｂ）では、扉の図示を省略している。
また、以下の実施形態では、設置されたロッカー装置の開口に対面した状態を基準として、手前側を前方、その逆側を後方とし、また、その状態を基準として、上下方向等の方向を原則的に説明する。
【００１１】
本実施形態に係るロッカー装置１は、図１及び図２に示すように、一方側（前方）に開口した箱本体１０と、この箱本体１０内に嵌め込まれるように収容された内箱体２０と、箱本体１０の開口に沿って開閉自在に設けられた扉１５，１６と、を備えている。また、内箱体２０には、複数の収容部２，３が設けられている。本実施形態では、上下に複数段（図例では、二段）の上段側の第１収容部２と下段側の第２収容部３とを内箱体２０に設けた例を示している。
このロッカー装置１は、種々の物品や郵便物、宅配物等を収容するものとしてもよく、例えば、駅構内等の公共スペース等に設置される貸ロッカー（貸保管庫）や、集合住宅等に設置される郵便受箱、荷受箱等として使用されるものとしてもよい。その他、種々の物品を複数の収容部２，３のそれぞれに収容するものとして使用されるロッカー装置１としてもよい。
【００１２】
箱本体１０は、図１に示すように、背板部１１と天板部１２と底板部１３と左右の側板部１４，１４とを備えた箱形状とされ、これらによって前方に開口し、内箱体２０を収容する空間を区画している。
これら背板部１１、天板部１２、底板部１３及び左右の側板部１４，１４は、いずれも薄板状とされ、図例では、略同厚さ寸法とされている。
また、本実施形態では、箱本体１０の前端部の開口周縁に、全周に亘って開口中心側に向けて突出するように突片部を設けている（図２（ｂ）参照）。本実施形態では、天板部１２及び底板部１３の各前端部に互いに向き合う方向に突出するように突片部を設け、左右の側板部１４，１４の各前端部に互いに向き合う方向に突出するように突片部を設けた例を示している。図例では、左右の側板部１４，１４の各突片部を箱本体１０の上下方向の略全体に亘って設け、天板部１２及び底板部１３の各突片部を左右の側板部１４，１４の各突片部間に亘って設けた例を示している。なお、このような態様に代えて、天板部１２及び底板部１３の各突片部を箱本体１０の左右方向（間口方向）の略全体に亘って設け、左右の側板部１４，１４の各突片部を天板部１２及び底板部１３の各突片部間に亘って設けた態様としてもよい。
【００１３】
また、この箱本体１０は、鉄鋼やステンレス鋼等の金属系材料から形成されている。
この箱本体１０は、例えば、絞り加工やプレス、折り曲げ加工等によって金属板等から形成されたものとしてもよい。また、図例では、背板部１１、天板部１２、底板部１３及び左右の側板部１４，１４が一体的に形成されたようなものとしているが、これら板部のそれぞれまたは一部を別体とし、他の板部に溶接等によって接合して形成されたものとしてもよい。
また、箱本体１０には、図示は省略しているが、扉１５，１６を開閉自在に支持する支持部が設けられている。図例では、扉１５，１６を、それぞれの左右方向一端部側の垂直方向に沿う回動支点廻りに箱本体１０に対して回動自在に連結した例を示している。このような扉１５，１６の支持部としては、箱本体１０の一方の側板部１４の前端部等に固定された蝶番等の回動連結部材としてもよい。または、箱本体１０及び扉１５，１６の一方に軸受部を設け、この軸受部に挿入される軸部を他方に設けたような態様等としてもよい。その他、種々の支持部の採用が可能である。
【００１４】
また、本実施形態では、内箱体２０の各収容部２，３をそれぞれに開閉する扉１５，１６を設けている。
また、本実施形態では、図１及び図２（ａ）に示すように、これら扉１５，１６を、閉鎖させた状態で箱本体１０の前面に対面するように納められるいわゆるアウトセット納めとしている。また、図例では、これら扉１５，１６を、閉鎖させた状態で箱本体１０の前面を略全面に亘って覆う形状とした例を示している。つまり、各扉１５，１６の左右方向に沿う寸法を箱本体１０の左右方向に沿う寸法と略同寸法とし、各扉１５，１６の上下方向に沿う寸法を足し合わせた寸法と箱本体１０の上下方向に沿う寸法とを略同寸法とした例を示している。なお、このような態様に代えて、各扉１５，１６の左右方向や上下方向に沿う寸法を図例よりも小さい寸法としてもよい。
【００１５】
また、これら扉１５，１６は、それぞれ施解錠可能とされている。これら扉１５，１６には、図示は省略しているが、箱本体１０側に設けられた後記する錠装置１７，１７に設けられた係止部と互いに係止する係止部が設けられている。この係止部は、各扉１５，１６の反回動支点側の端部に設けるようにしてもよい。
なお、当該ロッカー装置１の用途等に応じて、これら扉１５，１６に、投函口や該投函口を開閉する開閉蓋等を設けるようにしてもよい。
また、これら扉１５，１６は、箱本体１０と同様、金属系材料から形成されたものとしてもよい。
また、図例では、各扉１５，１６を、それぞれの左右方向一端部側の垂直方向に沿う回動支点廻りに箱本体１０に対して回動自在に連結した態様とした例を示しているが、このような態様に限られない。例えば、各扉１５，１６を、それぞれの上下方向一端部側の水平方向に沿う回動支点廻りに箱本体１０に対して回動自在に連結した態様等としてもよい。
【００１６】
また、これら扉１５，１６のいずれか一つまたは全てに、各扉１５，１６を個別に施解錠するための操作部等を設けるようにしてもよい。このような操作部としては、現金の投入が可能とされた精算部や電子マネー決済システム等を備えたものとしてもよい。また、各扉１５，１６の施解錠態様としては、鍵の操作による施解錠態様や、ＩＣカードの接触または近接による施解錠態様の他、パスワード等の入力による施解錠態様を採用するようにしてもよい。また、扉１５，１６に操作部を設ける態様に代えて、各扉１５，１６を施解錠するための操作部を別途に設ける態様としてもよい。例えば、各扉１５，１６を、閉鎖させた状態で各収容部２，３の前方開口内に納められるいわゆるインセット納めとし、箱本体１０の突片部等に操作部を設けたような態様としてもよい。また、操作部に信号線等を介して接続された制御部等を適所に設けるようにしてもよい。
【００１７】
内箱体２０は、図１に示すように、各収容部２，３が箱本体１０の開口と同方向に開口した構造とされている。
また、本実施形態では、内箱体２０を、その全体が箱本体１０内に収容される形状としている。本実施形態では、内箱体２０を、その前面が箱本体１０の前面と略同一平面状（略面一状）となるように、箱本体１０内に収容させた構造としている。
また、本実施形態では、内箱体２０の各収容部２，３を、略同寸同形状としている。つまり、各収容部２，３の上下寸法、間口寸法及び奥行寸法を互いに略同寸法としている。なお、このような態様に代えて、各収容部２，３の並設方向に沿う寸法（本実施形態では、上下寸法）を異ならせた寸法としてもよい。この場合は、扉１５，１６を適宜、変形するようにすればよい。
【００１８】
最上段の第１収容部２は、上板部２１と背板部２５と左右の側板部２６，２６と下板部２７とによって区画され、種々の物品等を収容する空間を形成している。この第１収容部２を区画する上板部２１は、内箱体２０の四周外壁を構成する天板部ともなる。また、この第１収容部２を区画する下板部２７は、第１収容部２とその下側に隣接する収容部（第２収容部３）とを区画する仕切板部ともなる。
最下段の第２収容部３は、上板部２８と背板部２５と左右の側板部２６，２６と下板部２３とによって区画され、種々の物品等を収容する空間を形成している。この第２収容部３を区画する上板部２８は、第２収容部３とその上側に隣接する収容部（第１収容部２）とを区画する仕切板部ともなる。また、この第２収容部３を区画する下板部２３は、内箱体２０の四周外壁を構成する底板部ともなる。
【００１９】
また、本実施形態では、これら各収容部２，３を区画する左右の側板部２６，２６，２６，２６は、内箱体２０の四周外壁を構成する側板部ともなる。
これら各収容部２，３を区画する各板部２１，２３，２５，２５，２６，２６，２６，２６，２７，２８は、いずれも薄板状とされ、図例では、略同厚さ寸法とされ、箱本体１０の各板部１１，１２，１３，１４，１４よりも大きい厚さ寸法とされている。
また、各収容部２，３の奥側面を構成する背板部２５，２５は、箱本体１０の背板部１１に当接または近接対面する構成とされている。
【００２０】
また、本実施形態では、内箱体２０の四周外壁の少なくとも一外壁とこの一外壁に対向する箱本体１０の一内壁との間に、機構部材を収容する収容空間を設けている。本実施形態では、図１に示すように、内箱体２０の四周の全周に亘って箱本体１０の四周内壁１２ａ，１３ａ，１４ａ，１４ａとの間に収容空間４，４，５，６を設けている。
つまり、第１収容部２を区画する上板部２１の上外壁（上面）２１ａと箱本体１０の天板部１２の上内壁（下面）１２ａとの間に、上側収容空間５を設けている。また、第２収容部３を区画する下板部２３の下外壁（下面）２３ａと箱本体１０の底板部１３の下内壁（上面）１３ａとの間に、下側収容空間６を設けている。また、各収容部２，３を区画する左右の側板部２６，２６，２６，２６の各側外壁２６ａ，２６ａ，２６ａ，２６ａと箱本体１０の左右の側板部１４，１４の各側内壁１４ａ，１４ａとの間に、側方収容空間４，４をそれぞれに設けている。これら各収容空間４，４，５，６は、箱本体１０内において連通している。
【００２１】
また、本実施形態では、内箱体２０に、その間口方向の全体に亘って、第１収容部２を区画する上板部２１の前端部から上方に向けて突出する上側突部を設けており、この上側突部を箱本体１０の天板部１２の突片部に当接させた構成としている。また、内箱体２０に、その間口方向の全体に亘って、第２収容部２を区画する下板部２３の前端部から下方に向けて突出する下側突部を設けており、この下側突部を箱本体１０の底板部１３の突片部に当接させた構成としている。また、内箱体２０に、その上下方向の全体に亘って、各収容部２，３を区画する左右の側板部２６，２６，２６，２６の各前端部から間口方向両外方側に向けてそれぞれに突出する両側突片部を設けており、これら両側突片部を箱本体１０の左右の側板部１４，１４の各突片部に当接させた構成としている。つまり、内箱体２０の四周外壁前端部に全周に亘ってフランジ状（鍔状）の突部を設け、この突部を箱本体１０の四周内壁前端部に全周に亘って設けられた突片部に当接させた構成とし、これらによって上記した各収容空間４，４，５，６の前方側を封止している（図２（ｂ）も参照）。
【００２２】
また、本実施形態では、互いに隣り合う収容部２，３間に、機構部材を収容する収容空間を設けている。本実施形態では、第１収容部２を区画する下板部２７の下面２７ａと第２収容部３を区画する上板部２８の上面２８ａとの間に、間収容空間７を設けている。この間収容空間７は、上記した各収容空間４，４，５，６と箱本体１０内において連通している。
また、本実施形態では、内箱体２０に、その収容部２，３の並設方向に直交する方向（本実施形態では、間口方向）の全体に亘って、第１収容部２を区画する下板部（仕切板部）２７の前端部と第２収容部３を区画する上板部（仕切板部）２８の前端部とを接続するように前板部２９を設けている。この前板部２９によって間収容空間７の前方側を封止している。また、図例では、この前板部２９の前面を、内箱体２０の四周外壁前端面と略同一平面状とした例を示している。
【００２３】
また、ロッカー装置１は、機構部材１７，１８を備えている。本実施形態では、機構部材として、各扉１５，１６の施解錠を行うための錠装置１７，１７と、各収容部２，３の収容物の有無を検出するセンサー１８，１８と、を例示している。また、本実施形態では、これら機構部材１７，１７，１８，１８を、上記した収容空間４，４，５，６，７のいずれかに収容させている。
錠装置１７，１７は、各扉１５，１６に設けられた係止部と互いに係止する係止部を備えている。このような係止部としては、錠装置１７，１７及び扉１５，１６の一方にラッチを設け、他方にラッチ受を設けた態様としてもよく、その他、種々の係止部の採用が可能である。また、錠装置１７，１７は、扉１５，１６の施錠（ロック）とその解除（ロック解除）とを行うためのロック機構を備えている。このようなロック機構としては、適宜、公知の電気的または機械的なロック機構の採用が可能である。
【００２４】
また、本実施形態では、これら錠装置１７，１７を、各収容部２，３の前方開口を開閉する扉１５，１６の閉鎖状態における反回動支点側近傍の収容空間内に設けている。図例では、内箱体２０の各収容部２，３の左右方向一方を区画する側板２６，２６と箱本体１０の一方の側板１４との間の側方収容空間４に、各錠装置１７，１７を収容した例を示している。また、各錠装置１７，１７を、この側方収容空間４内の前方部位に収容した例を示している。
なお、これら錠装置１７，１７は、内箱体２０の側板２６，２６及び箱本体１０の側板１４の両方または一方に適宜の固定具等によって固定するようにしてもよい。また、これら錠装置１７，１７と上記した操作部や制御部等とを接続する配線や給電線等の種々の配線を、上記した収容空間４，４，５，６，７のいずれかに収容するようにしてもよい。
また、錠装置１７，１７の係止部等を露出させる開口を、箱本体１０の前面側（突片部）や内箱体２０の前面側（突部、側板部）等の適所に設けるようにしてもよい。
【００２５】
センサー１８，１８は、各収容部２，３の収容物の有無を検出する検出部を備えており、例えば、検出部としての受光素子と発光素子とを備えた光学式のいわゆる測距センサー等としてもよい。
本実施形態では、これらセンサー１８，１８を、各収容部２，３の底側に設けている。図例では、内箱体２０の第１収容部２の底側を区画する下板部２７と第２収容部３の上側を区画する上板部２８との間の間収容空間７に、第１収容部２のセンサー１８を収容した例を示している。また、内箱体２０の第２収容部３の底側を区画する下板部２３と箱本体１０の底板部１３との間の下側収容空間６に、第２収容部３のセンサー１８を収容した例を示している。また、各センサー１８，１８を、各収容空間７，６内の平面視における略中央部位に収容した例を示している。
【００２６】
なお、これらセンサー１８，１８は、内箱体２０の板部（下板部）２７，２３に適宜の固定具等によって固定するようにしてもよい。また、これらセンサー１８，１８と上記した制御部等とを接続する配線や給電線等の種々の配線を、上記した収容空間４，４，５，６，７のいずれかに収容するようにしてもよい。
また、センサー１８，１８としては、上記したような光学式のセンサーに限られず、静電容量式の近接センサーや、荷重センサー等を採用するようにしてもよく、また、非接触式のセンサーに限られず、リミットスイッチ等の接触式のセンサーを採用するようにしてもよい。その他、種々のセンサーの採用が可能である。また、センサー１８，１８は、各収容部２，３の底側に設けた態様に限られず、各収容部２，３を区画する内箱体２０の板部のいずれかに付設するように設けるようにしてもよい。また、センサー１８，１８の構成に応じて、内箱体２０の板部の適所に、検出部を露出させる開口等を設けるようにしてもよい。
【００２７】
また、上記した収容空間４，４，５，６，７のいずれかに収容される機構部材としては、上記したような錠装置１７及びセンサー１８の両方に限られず、いずれか一方のみとしてもよい。また、上記した収容空間４，４，５，６，７のいずれかに収容される機構部材としては、上記したような錠装置１７やセンサー１８に限られず、上記した操作部の一部や、制御部、その他、ロッカー装置１に必要に応じて設けられる種々の機構部材としてもよい。
【００２８】
また、本実施形態では、内箱体２０の四周外壁の少なくとも一外壁に、この一外壁に対向する箱本体１０の一内壁に弾性的に接触する弾性片部を設けている。本実施形態では、図１（ａ）に示すように、内箱体２０の上下両側に、弾性片部２２，２４をそれぞれに設けている。これら上下の弾性片部２２，２４は、互いに略同様の構成とされており、互いに上下反転させたような形状とされている。
【００２９】
上弾性片部２２は、本実施形態では、第１収容部２を区画する上板部２１の前端部の突部から後方側に向けて延びるように設けられており、その後端部が箱本体１０の背板部１１に当接または近接する構成とされている。また、この上弾性片部２２は、その後端部が箱本体１０の天板部１２の上内壁（下面）１２ａに弾性的に接触する構成とされている。また、図例では、上弾性片部２２の後端部に、上方に向けて突出する突片部２２ａを設けた例を示している。この上弾性片部２２は、図１（ａ）の二点鎖線で示すように、自然状態（弾性変形していない状態）において後端側が前端部（基端部）よりも上方側に位置するように斜め状に形成されている。一方、この上弾性片部２２は、内箱体２０を箱本体１０に収容させた状態では、その弾性変形を伴い上板部２１と略平行状（略水平状）となるように形成されている。
【００３０】
下弾性片部２４は、本実施形態では、第２収容部３を区画する下板部２３の前端部の突部から後方側に向けて延びるように設けられており、その後端部が箱本体１０の背板部１１に当接または近接する構成とされている。また、この下弾性片部２４は、その後端部が箱本体１０の底板部１３の下内壁（上面）１３ａに弾性的に接触する構成とされている。また、図例では、下弾性片部２４の後端部に、下方に向けて突出する突片部２４ａを設けた例を示している。この下弾性片部２４は、図１（ａ）の二点鎖線で示すように、自然状態（弾性変形していない状態）において後端側が前端部（基端部）よりも下方側に位置するように斜め状に形成されている。一方、この下弾性片部２４は、内箱体２０を箱本体１０に収容させた状態では、その弾性変形を伴い下板部２３と略平行状（略水平状）となるように形成されている。
【００３１】
これら弾性片部２２，２４は、本実施形態では、上記した上下の収容空間５，６の一部に収容されている。
また、これら弾性片部２２，２４は、いずれも薄板状とされており、図例では、略同厚さ寸法とされ、内箱体２０の各板部２１，２３，２５，２５，２６，２６，２６，２６，２７，２８よりも小さい厚さ寸法とされている。なお、これら弾性片部２２，２４を、各板部と略同厚さ寸法としてもよい。
また、これら各弾性片部２２，２４は、内箱体２０の間口方向の全体に亘って設けるようにしてもよく、または、間口方向の一部に設けるようにしてもよい。さらには、これら各弾性片部２２，２４を、内箱体２０の間口方向に沿って間隔を空けて複数箇所に設けるようにしてもよい。
【００３２】
なお、本実施形態では、内箱体２０を箱本体１０に収容させた状態で、これら弾性片部２２，２４が各板部２１，２３と略平行状（略水平状）となる態様とした例を示しているが、これら弾性片部２２，２４が斜め状となる態様としてもよい。
また、本実施形態では、これら弾性片部２２，２４を、各後端部が箱本体１０の背板部１１に当接または近接する構成とした例を示しているが、箱本体１０の背板部１１との間に間隔を設けた態様としてもよい。
また、本実施形態では、これら弾性片部２２，２４を、各板部２１，２３の前端部の突部の先端部から後方側に向けて延びるように設けた例を示しているが、このような態様に限られない。例えば、これら弾性片部２２，２４を、各板部２１，２３の前端部の突部の基端部から後方側に向けて延びるように設けたり、各板部２１，２３の奥行方向途中部位から後方側に向けて延びるように設けたりしてもよい。さらには、これら弾性片部２２，２４を、各板部２１，２３の後端部や奥行方向途中部位から前方側に向けて延びるように設けた態様としてもよい。その他、種々の態様とされた弾性片部２２，２４を設けるようにしてもよい。
【００３３】
上記構成とされた内箱体２０は、上記した複数の収容部２，３を区画するように、かつ合成樹脂系材料から一体的に形成されている。この内箱体１０は、例えば、射出成形等の種々の成形方法によって上記形状に一体的に形成されたものとしてもよい。また、合成樹脂系材料としては、ＰＰ（ポリプロピレン）樹脂や、ＡＢＳ（アクリロニトリルブタジエンスチレン）樹脂、ＰＥ（ポリエチレン）樹脂、ＰＥＴ（ポリエチレンテレフタレート）樹脂、ＰＣ（ポリカーボネート）樹脂、ＰＰＳ（ポリフェニレンサルファイド）樹脂等としてもよく、その他、種々の硬質の合成樹脂系材料の採用が可能である。また、合成樹脂系材料としては、このような種々の合成樹脂系材料を主材とし、ガラス繊維や炭素繊維、セラミックス繊維、シリカ繊維、アルミナ繊維、バサルト繊維（鉱物繊維）、ケナフ繊維、窒化硼素繊維等の種々の繊維を含有した繊維強化合成樹脂系材料としてもよい。
また、この内箱体２０の箱本体１０への固定態様としては、箱本体１０に嵌め込むのみによって固定するようにしてもよく、接着剤や適宜の止具等を用いて固定するようにしてもよい。
【００３４】
本実施形態に係るロッカー装置１は、上述のような構成としたことで、強度を確保しながらも組み付け性を向上させることができる。
つまり、ロッカー装置１は、一方側に開口した金属系材料から形成された箱本体１０とこの箱本体１０内に嵌め込まれるように収容された内箱体２０とを備えている。従って、当該ロッカー装置１が箱本体１０と内箱体２０とによって二重構造となり、その外郭側の強度を金属系材料からなる箱本体１０によって確保することができ、また、箱本体１０内に嵌め込まれるように収容された内箱体２０によって補強することができる。
また、内箱体２０は、複数の収容部２，３を形成するように区画され、かつ合成樹脂系材料から一体的に形成されているので、横板（棚板）や縦板等の仕切板を箱本体１０に溶接等によって組み付ける必要がなく、組み付け性を向上させることができる。つまりは、内箱体２０を箱本体１０に嵌め込むように収容することで、複数の収容部２，３を容易に構成することができる。また、内箱体２０を合成樹脂系材料から形成しているので、種々の形状に加工し易く、また、軽量化を図ることも可能となる。
【００３５】
また、本実施形態では、内箱体２０の四周外壁２１ａ，２３ａ，２６ａ，２６ａの少なくとも一外壁２１ａ，２３ａ，２６ａ，２６ａとこの一外壁２１ａ，２３ａ，２６ａ，２６ａに対向する箱本体１０の一内壁１２ａ，１３ａ，１４ａ，１４ａとの間に、機構部材１７，１８を収容する収容空間４，４，５，６を設けている。従って、ロッカー装置１に設けられる上記したような種々の機構部材１７，１８や、これらに必要となる配線等を、収容空間４，４，５，６に収容することができる。また、従来のように、これら機構部材等を覆うカバー等を溶接等によって箱本体１０等に取り付ける必要がなく、種々の機構部材１７，１８が設けられる場合が多々あるロッカー装置１として好適なものとなる。
また、種々の機構部材１７，１８を、箱本体１０及び内箱体２０の両方または一方に組み付けた状態で、箱本体１０に内箱体２０を組み付けるようなこともでき、組み付け性をより向上させることができる。
【００３６】
また、本実施形態では、内箱体２０の四周の全周に亘って箱本体１０の四周内壁１２ａ，１３ａ，１４ａ，１４ａとの間に収容空間４，４，５，６を設けている。従って、これら収容空間４，４，５，６に種々の機構部材１７，１８や、これらに必要となる配線等を収容することができ、これらの配設自由度を向上させることができる。
【００３７】
また、本実施形態では、内箱体２０に設けられた複数の収容部２，３間にも機構部材１８を収容する間収容空間７を設けている。従って、隣り合う収容部２，３間の間収容空間７にも、上記同様、ロッカー装置１に設けられる種々の機構部材１８やその配線等を収容することができる。また、上記同様、箱本体１０に内箱体２０を組み付ける前に、内箱体２０の間収容空間７に種々の機構部材１８を組み付けておくことができ、組み付け性をより向上させることができる。なお、扉１５，１６の連結態様等によっては、この間収容空間７に、錠装置１７等を収容するようにしてもよい。また、このような間収容空間７を設けないようにしてもよい。この場合は、隣り合う収容部２，３を区画する仕切板部としての下板部２７及び上板部２８を、前板部２９を設けずに一枚状の板部としてもよい。
【００３８】
また、本実施形態では、内箱体２０の四周外壁２１ａ，２３ａ，２６ａ，２６ａの少なくとも一外壁２１ａ，２３ａに、この一外壁２１ａ，２３ａに対向する箱本体１０の一内壁１２ａ，１３ａに弾性的に接触する弾性片部２２，２４を設けている。従って、箱本体１０や内箱体２０に寸法誤差等があった場合にも内箱体２０を箱本体１０内に比較的に強固に組み付けることができる。
また、本実施形態では、内箱体２０の上下両側のそれぞれに弾性片部２２，２４を設けているので、内箱体２０を箱本体１０内により強固に組み付けることができる。なお、このような態様に代えて、内箱体２０の上側、下側及び左右両側のうちの少なくとも一方側に弾性片部を設けるようにしてもよく、さらには、このような弾性片部を設けないようにしてもよい。
【００３９】
また、本実施形態では、内箱体２０の四周の全周に亘って箱本体１０の四周内壁１２ａ，１３ａ，１４ａ，１４ａとの間に収容空間４，４，５，６を設けた例を示しているが、このような態様に限られない。内箱体２０の上側、下側及び左右両側のうちの少なくとも一方側に収容空間を設けるようにしてもよく、さらには、このような収容空間を設けないようにしてもよい。この場合は、内箱体２０の外壁とその外壁に対向する箱本体１０の内壁とを当接させるようにしてもよい。
また、本実施形態では、箱本体１０の前端部の開口周縁に全周に亘って突片部を設け、内箱体２０の前端部の外周に全周に亘って突部を設けた例を示しているが、これらの両方または一方を設けないようにしてもよい。
また、本実施形態では、箱本体１０の前面と内箱体２０の前面とを略同一平面状とした例を示しているが、内箱体２０を、その前面が箱本体１０の前面よりも奥側に控えた位置となるように箱本体１０に収容させた構造としてもよい。または、内箱体２０を、その前面が箱本体１０の前面よりも前方に突出した位置となるように箱本体１０に収容させた構造としてもよい。この場合は、内箱体２０の前端部の外周に全周に亘って設けた突部を箱本体１０の前面に当接させた構造としてもよい。
【００４０】
また、当該ロッカー装置１の用途等に応じて、反扉側（背面側）に、各収容部２，３に連通する投函口や該投函口を開閉する開閉蓋等を設けるようにしてもよい。この場合は、箱本体１０の背板部１１及び内箱体２０の背板部２５，２５に、適宜、開口を設けるようにしてもよい。
また、本実施形態では、各収容部２，３をそれぞれに開閉し、施解錠可能とされた扉１５，１６を設けた例を示しているが、このような態様に限られない。例えば、複数の収容部２，３を開閉する一枚の扉を設けた態様としてもよく、施解錠不能とされた扉を設けるようにしてもよい。
また、本実施形態では、内箱体２０に、上下に２段の収容部２，３を設けた例を示しているが、上下に３段以上の収容部を設けた態様としてもよく、または、上下に複数段の収容部２，３を設けた態様に代えて若しくは加えて、左右に複数の収容部を設けた態様としてもよい。この場合は、内箱体２０の仕切板部や扉１５，１６の連結部位等を必要に応じて適宜、変形するようにすればよい。
【符号の説明】
【００４１】
１          ロッカー装置
２          第１収容部
３          第２収容部
４          側方収容空間
５          上側収容空間
６          下側収容空間
１０        箱本体
１２ａ      上内壁
１３ａ      下内壁
１４ａ      側内壁
１５，１６  扉
１７        錠装置（機構部材）
１８        センサー（機構部材）
２０        内箱体
２１ａ      上外壁
２２        上弾性片部
２３ａ      下外壁
２４        下弾性片部
２６ａ      側外壁
【図１】
2014094113.tif 000003
【図２】
2014094113.tif 000004